【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
１個以上の目標とするギャップ距離を含む、個人に関連するゴルフの好みを特定する特定ステップと、
クラブサブセットの１本以上のサブセットクラブを利用した前記個人の１回以上のゴルフショットから得られるゴルフボール打出し条件データを含むゴルフボールショット特性情報を受信する受信ステップと、
前記個人に関連する前記ゴルフの好み及び前記ゴルフボールショット特性情報を評価することにより、隣り合うクラブ間の前記１個以上の目標とするギャップ距離を示すゴルフクラブセット案を決定する決定ステップと、
を備え、
前記クラブサブセットは、前記ゴルフクラブセット案よりも少ない本数のゴルフクラブを含み、
前記決定ステップは、
ゴルフの好みとゴルフボールショット特性情報とにアクセス可能なギャップアナライザを提供するステップと、
前記ギャップアナライザが、ゴルフクラブのためのゴルフクラブパラメータのライブラリを備えるデータベースにアクセスするステップと、
前記１個以上の目標とするギャップ距離を示すゴルフクラブセット案を選択するために、前記ライブラリに含まれるゴルフクラブのギャップ解を、前記ギャップアナライザで計算するステップと、
を、含む方法。
【請求項２】
前記ゴルフクラブセット案の少なくとも一部によって示される前記１個以上の目標とするギャップ距離を表す少なくとも１つの表示を生成する生成ステップを更に備え、
前記表示は、
２個以上の分散外周を表すショット分散表示と、
構造オプション表示と、
ギャップ分析表示と、の少なくとも１個の備える、請求項１に記載の方法。
【請求項３】
前記決定ステップは、前記１個以上の目標とするギャップ距離の少なくとも１個のギャップ距離を達成するために、ゴルフクラブセット案のゴルフクラブの構成要素に関するオプションを特定するステップを備え、
前記構成要素に対するオプションは、モデルオプションと、ロフトオプションと、シャフトオプションと、グリップオプションの少なくとも１個のオプションを備える、請求項１又は２に記載の方法。
【請求項４】
前記決定ステップは、前記ギャップアナライザによって、隣り合うゴルフクラブ間のギャップ距離が実質的に均一であるゴルフクラブセットを特定するステップを備え、
前記１個以上の目標とするギャップ距離は、実質的に均一なギャップ距離を備える、請求項１から３のいずれか一項に記載の方法。
【請求項５】
前記決定ステップは、前記ギャップアナライザによって、ギャップ距離が推移するゴルフクラブセットを特定するステップを備え、
前記１個以上の目標とするギャップ距離は、前記推移するギャップ距離を備え、
前記推移するギャップ距離は、少なくとも第１のギャップ距離と第２のギャップ距離を含み、
前記第１のギャップ距離と前記第２のギャップ距離は互いに異なる、請求項１から４のいずれか一項に記載の方法。
【請求項６】
前記１個以上の目標とするギャップ距離は、前記ゴルフクラブセット案に含まれる隣り合うクラブ間のキャリー距離の差によって規定される、請求項１から５のいずれか一項に記載の方法。
【請求項７】
前記１個以上の目標とするギャップ距離は、前記ゴルフクラブセット案に含まれる隣り合うクラブ間の総合距離の差によって規定される、請求項１から５のいずれか一項に記載の方法。
【請求項８】
前記打出し条件データは、ゴルフボールの弾道パターンとゴルフボールの総合移動距離とを決定するために使用される、請求項１から７のいずれか一項に記載の方法。
【請求項９】
前記ショット特性情報は、ゴルフボール弾道情報を含む、請求項１から８のいずれか一項に記載の方法。
【請求項１０】
前記１本以上のサブセットクラブは、
低ロフトのサブセットクラブと、
高ロフトのサブセットクラブと、を備える、請求項１から９のいずれか一項に記載の方法。
【請求項１１】
前記１本以上のサブセットクラブは、さらに、中間のロフトのサブセットクラブを備える請求項１０に記載の方法。
【請求項１２】
前記ギャップアナライザは、前記ゴルフクラブセット案のために、第１種の第１ゴルフクラブ案と第２種の第２ゴルフクラブ案であって、前記第１ゴルフクラブ案と前記第２ゴルフクラブ案との間の第１−第２ギャップ距離を有する前記第１ゴルフクラブ案と前記第２ゴルフクラブ案を特定し、
前記第１−第２ギャップ距離は、前記１個以上の目標とするギャップ距離の少なくとも１個のギャップ距離に対応する、請求項１から１１のいずれか一項に記載の方法。
【請求項１３】
前記第１種の第１ゴルフクラブ案は、ウェッジタイプ、アイアンタイプ、ハイブリッドタイプ、フェアウェイウッドタイプ及びドライバタイプのうちのいずれか１個のタイプであり、
前記第２種の第２ゴルフクラブ案は、ウェッジタイプ、アイアンタイプ、ハイブリッドタイプ、フェアウェイウッドタイプ及びドライバタイプのうちの前記第１種の第１ゴルフクラブ案とは異なる１個のタイプである、請求項１２に記載の方法。
【請求項１４】
前記クラブサブセットは、少なくとも２本のクラブを備える、請求項１から１３のいずれか一項に記載の方法。
【請求項１５】
前記クラブサブセットは、少なくとも３本のクラブを備える、請求項１から１３のいずれか一項に記載の方法。
【請求項１６】
複数のゴルフクラブのためのギャップ決定を計算し、ゴルフクラブセット案に含まれる隣り合うクラブ間の前記ギャップ決定に基づいて、ゴルフクラブ案を含むゴルフクラブセット案を算出する処理装置と、
前記処理装置と接続された入力装置と、
フィッティングセッション中に前記処理装置と接続される追跡装置と、
を備えるシステムであって、
前記複数のゴルフクラブは、
前記ゴルフクラブ案と、
前記フィッティングセッション中に打たれ、計測対象となる１本以上の計測ゴルフクラブであって、前記ゴルフクラブ案よりも本数が少ない、前記計測ゴルフクラブサブセットと、
前記フィッティングセッション中に打たれておらず、算出される算出ゴルフクラブサブセットと、を備え、
前記ギャップ決定とゴルフクラブセット案は、
前記計測ゴルフクラブサブセットの１回以上の実際のフィッティング時のショットを用いて、前記追跡装置によって計測される前記計測ゴルフクラブサブセットの実際のショット特性情報と、
前記計測ゴルフクラブサブセットの実際のショット特性情報と、前記算出ゴルフクラブサブセットのカタログ参照データとに基づいて前記処理装置によって推定される前記算出ゴルフクラブサブセットの算出ショット特性情報と、
に基づいて、前記処理装置によって算出される、システム。
【請求項１７】
表示装置を更に備え、
前記表示装置は、２個以上の分散外周を表すショット分散表示と、構造オプション表示と、ギャップ分析表示と、のうちの少なくとも１個を表示する、請求項１６に記載のシステム。
【請求項１８】
前記処理装置は、
前記ギャップ決定を生成するギャップアナライザと、
前記ギャップアナライザと接続され、前記算出ゴルフクラブサブセットの前記カタログ参照データを備えるデータベースと、を備え、
前記ギャップアナライザは、提案されるゴルフクラブ間の目標とする１個以上のギャップ距離に関連するゴルフクラブセット案を算出する、請求項１６又は１７に記載のシステム。
【請求項１９】
前記ゴルフクラブ案は、第１種の第１ゴルフクラブ案と、前記第１種と異なる第２種の第２ゴルフクラブ案と、を備え、
前記第１ゴルフクラブ案と前記第２ゴルフクラブ案とは、前記第１ゴルフクラブ案と前記第２ゴルフクラブ案との間の第１−第２ギャップ距離を有し、
前記ギャップアナライザは、前記第１−第２ギャップ距離に基づいて、前記１個以上の目標とするギャップ距離の少なくとも１個のギャップ距離に到達するように、前記第１及び前記第２ゴルフクラブ案を特定する、請求項１８に記載のシステム。
【請求項２０】
前記第１種の第１ゴルフクラブ案は、ウェッジタイプ、アイアンタイプ、ハイブリッドタイプ、フェアウェイウッドタイプ及びドライバタイプのうちのいずれか１個のタイプであり、
前記第２種の第２ゴルフクラブ案は、ウェッジタイプ、アイアンタイプ、ハイブリッドタイプ、フェアウェイウッドタイプ及びドライバタイプのうちの前記第１種の第１ゴルフクラブ案とは異なる１個のタイプである、請求項１９に記載のシステム。
【請求項２１】
前記処理装置は、
前記ギャップアナライザと接続されており、ショット弾道表示のための前記１回以上のフィッテングのためのショットの最終ショット特性情報を決定するために、前記１回以上のフィッテングのためのショットのゴルフボール打ち出しデータから初期ショット特性情報を分析する弾道アナライザを備える、請求項１８から２０のいずれか一項に記載のシステム。
【請求項２２】
前記処理装置は、
前記ギャップアナライザと接続されており、ショット分散表示のためのショット分散情報を生成するために、前記１回以上のフィッテングのためのショットのショット特性情報を分析するショット分散アナライザを備える、請求項１８から２１のいずれか一項に記載のシステム。
【請求項２３】
前記処理装置は、
前記ギャップアナライザと接続されており、個人の身体的特徴情報と、前記個人のパフォーマンス特性情報と、前記個人の前記１回以上のフィッテングのためのショットのショット特性情報のうちの１個以上の情報を分析すると共に、前記ゴルフクラブ案の１個以上のゴルフクラブのゴルフクラブ構成オプションを特定する構成オプションアナライザを備える、請求項１８から２２のいずれか一項に記載のシステム。
【請求項２４】
前記ゴルフクラブセット案は、前記計測ゴルフクラブサブセットと前記算出ゴルフクラブサブセットの両者を備え、
前記入力装置は、身体的特性情報とパフォーマンス特性情報とを前記処理装置に提供する、請求項１６から２３のいずれか一項に記載のシステム。
【請求項２５】
前記クラブサブセットは、少なくとも２本のクラブを備える、請求項１６から２４のいずれか一項に記載のシステム。
【請求項２６】
前記クラブサブセットは、少なくとも３本のクラブを備える、請求項１６から２４のいずれか一項に記載の方法。
【手続補正２】
【補正対象書類名】明細書
【補正対象項目名】０００４
【補正方法】変更
【補正の内容】
【０００４】
本明細書に開示された技術は、１個以上の目標とするギャップ距離を含む、個人に関連するゴルフの好みを特定する特定ステップと、クラブサブセットの１本以上のサブセットクラブを利用した個人の１回以上のゴルフショットから得られるゴルフボール打出し条件データを含むゴルフボールショット特性情報を受信する受信ステップと、個人に関連するゴルフの好み及びゴルフボールショット特性情報を評価することにより、隣り合うクラブ間の１個以上の目標とするギャップ距離を示すゴルフクラブセット案を決定する決定ステップと、を備える方法である。クラブサブセットは、ゴルフクラブセット案よりも少ない本数のゴルフクラブを含む。決定ステップは、ゴルフの好みとゴルフボールショット特性情報とにアクセス可能なギャップアナライザを提供するステップと、ギャップアナライザが、ゴルフクラブのためのゴルフクラブパラメータのライブラリを備えるデータベースにアクセスするステップと、１個以上の目標とするギャップ距離を示すゴルフクラブセット案を選択するために、ライブラリに含まれるゴルフクラブのギャップ解を、ギャップアナライザで計算するステップと、を、含む。
本明細書に開示された他の技術は、ゴルフクラブセットを決定するための方法において実現することができる。この方法は、ゴルフクラブ間の飛距離の差を含む個人に関するゴルフの好みを特定するステップと、ショット特性情報を受信するステップと、個人に関するゴルフの好みとショット特性情報を評価することにより決定された隣り合うクラブ間の飛距離の差（ギャップ距離）を有するゴルフクラブセットを決定するステップとを含む。